(57)【要約】【課題】イルミネーター内部の光の乱反射により画像品質が低下するのを防止した反射型液晶表示装置を提供する。【解決手段】筐体１１の壁部１１ａに凹部１３を設ける。偏光板９から出射され、壁部１１ａに向けて照射された偏光成分Ｐ１は、そのまま壁部１１ａに設けられた凹部１３の内部へと進入し、その内面で乱反射して一部が偏光成分Ｐ２へと変換され、筐体１１の内部へと戻ってくるが、凹部１３の内面は壁部１１ａの本来の壁面位置よりも奥まった位置にあるため、その分、光源７から出射された光の光路が長くなり、偏光成分Ｐ２は筐体１１の内部へ戻ってくる間にある程度減衰すると共に、そのうち凹部１３の内面から偏光ビームスプリッター１０に向けて急峻に立ち上がる光は、凹部１３の上面１３ａにより遮られるため、画像に与える影響が少なくなる。【選択図】図１
2013101181.tif 000002
【特許請求の範囲】
【請求項１】
透明電極を有する第一電極基板と反射電極を有する第二電極基板とを所定の間隔で周辺接着剤を介して貼り合わせることで形成された空間に液晶を封入してなる液晶パネルと、
当該液晶パネルに光を供給する光源と、
当該光源から出射された光のうち一方の偏光成分のみを透過させる偏光板と、
当該偏光板を透過した前記一方の偏光成分を前記液晶パネルに向けて反射すると共に、前記一方の偏光成分とは偏光方向が異なる他方の偏光成分を透過させるように配置された偏光ビームスプリッターと、
当該偏光ビームスプリッターを保持し、前記液晶パネルを覆うように配置された筐体とを備え、
前記液晶パネルの画像を前記偏光ビームスプリッターを透して観察するように構成された反射型液晶表示装置において、
前記筐体の壁部のうち前記液晶パネルに面する側の表面に、前記偏光板を透過した前記一方の偏光成分を進入させるための凹部を設けたことを特徴とする反射型液晶表示装置。
【発明の詳細な説明】
【技術分野】
【０００１】
本発明は反射型液晶表示装置に関するものである。
【背景技術】
【０００２】
反射型液晶表示パネルは、電子ビューファインダーなどに多く用いられ、近年では、民生用の小型デジタルカメラや業務用の大型高精細カメラなどに幅広く用いられている。
【０００３】
図２は従来技術による反射型液晶表示装置の断面図である。液晶パネル１は、第一電極基板２と第二電極基板３とが枠状の周辺接着剤４を介して接着されることで形成された隙間に液晶５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載され、第一電極基板２と回路基板６とが導電接着剤を介して電気的に接続され、第二電極基板３と回路基板６とがボンディングワイヤーを介して電気的に接続されている。
【０００４】
回路基板６上には、光源７と拡散板８と偏光板９と偏光ビームスプリッター１０とをドーム態様の筐体１１に一体的に組み付けてなるイルミネーター１２が、液晶パネル１を覆うように搭載されている。偏光ビームスプリッター１０は、互いに直交する関係にある二種類の偏光成分Ｐ１、Ｐ２のうち何れか一方（偏光成分Ｐ２）のみを透過させ、他方（偏光成分Ｐ１）を反射する反射型偏光板で、偏光方向の関係が偏光板９とクロスニコル（同じ偏光成分を透過させない位置関係）となるように配置されている。
【０００５】
以上の反射型液晶表示装置において、光源７より出射された光は、拡散板８を通り面内の均一な光に分散された後、偏光板９を通ることで一方のみの偏光成分Ｐ１となり、偏光ビームスプリッター１０で反射されて液晶パネル１に照射される。液晶パネル１に照射された偏光成分Ｐ１は、第一電極基板２と液晶５を透過し、第二電極基板３上の反射電極に垂直に入射して逆方向へ反射される。逆方向へ反射された偏光成分Ｐ１は、液晶５と第一電極基板２を再度透過し、その過程でその一部が他方の偏光成分Ｐ２へと変換され、偏光ビームスプリッター１０を透過して観察者の目に画像として表示される。（例えば、特許文献１、２参照）
【先行技術文献】
【特許文献】
【０００６】
【特許文献１】特開２００３−１６１９１５
【特許文献２】特開２００４−１２７２３
【発明の概要】
【発明が解決しようとする課題】
【０００７】
図３は従来技術による課題を説明するための反射型液晶表示装置の斜視面である。従来技術では、光源７より出射された光は、拡散板８を通り面内の均一な光に分散された後、偏光板９を通ることで何れか一方のみの偏光成分Ｐ１となり、偏光ビームスプリッター１０に照射されるが、その際、偏光成分Ｐ１の一部は、筐体１１の壁部１１ａに照射され、その表面で乱反射して一部が他方の偏光成分Ｐ２へと変換される。偏光成分Ｐ２は、そのまま偏光ビームスプリッター１０を通り抜け、液晶パネル１の画像に混入し、色合いを変化させたり、コントラストを低下させたりする。
【０００８】
本発明は以上の問題点に鑑みてなされたもので、イルミネーター内部の光の乱反射により画像品質が低下するのを防止した反射型液晶表示装置を提供することを目的とする。
【課題を解決するための手段】
【０００９】
透明電極を有する第一電極基板と反射電極を有する第二電極基板とを所定の間隔で周辺接着剤を介して貼り合わせることで形成された空間に液晶を封入してなる液晶パネルと、当該液晶パネルに光を供給する光源と、当該光源から出射された光のうち一方の偏光成分のみを透過させる偏光板と、当該偏光板を透過した前記一方の偏光成分を前記液晶パネルに向けて反射すると共に、前記一方の偏光成分とは偏光方向が異なる他方の偏光成分を透過させるように配置された偏光ビームスプリッターと、当該偏光ビームスプリッターを保持し、前記液晶パネルを覆うように配置された筐体とを備え、前記液晶パネルの画像を前記偏光ビームスプリッターを透して観察するように構成された反射型液晶表示装置において、前記筐体の壁部のうち前記液晶パネルに面する側の表面に、前記偏光板を透過した前記一方の偏光成分を進入させるための凹部を設けた反射型液晶表示装置とする。
【発明の効果】
【００１０】
本発明によると、筐体の壁部で乱反射した光が液晶パネルの画像に与える影響を低減することができる。
【図面の簡単な説明】
【００１１】
【図１】本発明の実施例を示す反射型液晶表示装置の斜視図
【図２】従来技術による反射型液晶表示装置の断面図
【図３】従来技術による問題点を説明するための反射型液晶表示装置の斜視図
【発明を実施するための形態】
【００１２】
図１は本発明の実施例を示す反射型液晶装置の斜視図である。液晶パネル１は、第一電極基板２と第二電極基板３とが枠状の周辺接着剤４を介して接着されることで形成された隙間に液晶が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載され、第一電極基板２と回路基板６とが導電接着剤を介して電気的に接続され、第二電極基板３と回路基板６とがボンディングワイヤーを介して電気的に接続されている。
【００１３】
回路基板６上には、光源７と拡散板８と偏光板９と偏光ビームスプリッター１０とをドーム態様の筐体１１に一体的に組み付けてなるイルミネーター１２が、液晶パネル１を覆うように搭載されている。偏光ビームスプリッター１０は、互いに直交する関係にある二種類の偏光成分Ｐ１、Ｐ２のうち何れか一方（偏光成分Ｐ２）のみを透過させ、他方（偏光成分Ｐ１）を反射する反射型偏光板で、偏光方向の関係が偏光板９とクロスニコル（同じ偏光成分を透過させない位置関係）となるように配置されている。ここまでの構成は、従来技術と同様である。
【００１４】
本実施例の特徴は、筐体１１の壁部１１ａに凹部１３を設けたことにある。凹部１３は、偏光板９からの光の出射方向と直交する方向において互いに対向する二つの壁部１１ａにそれぞれ設けられ、例えば、樹脂成形の段階で壁部１１ａの肉厚部を一部凹ませることで壁部１１ａに一体的に形成されている。
【００１５】
尚、凹部１３は、何れか一方の壁部１１ａに設けられていても良く、また、偏光板９からの光の出射方向と直交する方向において互いに対向する壁部１１ａに限らず、それ以外の壁部に相当する部位に設けられていても良い。また、凹部１３の形状や大きさは、適宜選択することが可能であり、例えば、凹部１３の形状は、角柱状、円柱状、角錐状、円錐状などが適宜選択され得る。また、凹部１３は、壁部１１ａに一体的に形成されていなくとも良く、例えば、中央に開口部を有する枠状の部材に、平板状の部材を重ね合わせることで凹部を形成しても良い。
【００１６】
壁部１１ａに凹部１３を設けることにより、次のような作用が得られる。光源７から発せられた光は、拡散板８と偏光板９を通過し、その一部が筐体１１の壁部１１aに向かって照射されるが、その際、壁部１１ａには凹部１３が設けられていることから、壁部１１ａに照射された偏光成分Ｐ１は、そのまま凹部１３の内部へと進入し、凹部１３の内表面で乱反射され、一部が偏光成分Ｐ２となって再び筐体１１の内部へと戻ってくる。しかし、凹部１３は、光源７に対して壁部１１ａの本来の壁面位置よりも奥まった位置にあるため、その分、光源７から出射された光の光路が長くなり、偏光成分Ｐ２は筐体１１の内部へ戻ってくる間にある程度減衰すると共に、そのうち凹部１３の内面から偏光ビームスプリッター１０に向けて急峻に立ち上がる光は、凹部１３の上面１３ａにより遮られるため、画像に与える影響が少なくなる。
【００１７】
尚、凹部１３の内面に黒色塗装などの反射防止処理を施しておけば、凹部１３の内部で光を効率的に減衰させることができる。
【００１８】
以上説明した本発明による反射型液晶表示装置は、あくまで一実施例であり、本発明の主旨を逸脱しない範囲で種々の変更が可能である。例えば、液晶パネル１は、画素電極が反射電極で構成された反射型液晶パネルに限らず、画素電極が透明電極で構成された透過型液晶パネルであっても良い。また、光源７、拡散板８、偏光板９、偏光ビームスプリッター１０、液晶パネル１の位置関係は、実施例に示したものに限らず、光学設計に応じて適宜変更され得るものである。また、拡散板８は、必須要素ではなく、省略することが可能である。
【符号の説明】
【００１９】
１      液晶パネル
２      第一電極基板
３      第二電極基板
４      周辺接着剤
５      液晶
６      回路基板
７      光源
８      拡散板
９      偏光板
１０    偏向ビームスプリッター（反射型偏光板）
１１    筐体
１１ａ  壁部
１２    イルミネーター
１３    凹部
１３ａ  上面
【図１】
2013101181.tif 000003
【図２】
2013101181.tif 000004
【図３】
2013101181.tif 000005